(57)【特許請求の範囲】
【請求項１】
容器と、容器の口筒部に装着される中栓と、容器の口筒部に螺着するキャップとからなる注出容器において、
中栓は、外周壁と、注出筒と、注出筒の底部に連設される隔壁部とを具えており、
隔壁部は、隔壁周辺部と、隔壁周辺部にヒンジ部により連設され、多角形に形成された開口壁部とからなり、
隔壁周辺部の内縁側は、開口壁部の外周形状に形成された係合周壁が垂設され、
係合周壁の各角部から隔壁部中心に向かって破断可能な弱化部が形成され、複数の三角形状の変形壁が形成されており、
それぞれの変形壁の下面には、中央部近くの所定の位置に係合突起が設けられ、係合周壁の壁下端に係合する係合片が配設されており、
キャップは、頂壁と側周壁を具え、
頂壁の下面には、外周が開口された開口壁部の表面に係合する係合内筒と、係合内筒内方に、頂壁中央が突起部となっている複数の傾斜壁が設けられていることを特徴とする注出容器。
【請求項２】
キャップの側周壁は、上端内周が破断可能な複数の弱化片を介して側周壁の下端外周に連設されるバージンリングを具えていることを特徴とする請求項１記載の注出容器。
【請求項３】
開口壁部と係合周壁は、八角形に形成されていることを特徴とする請求項１記載の注出容器。
【発明の詳細な説明】
【技術分野】
【０００１】
本発明は、注出容器、とくに中栓により容器内部を密封した注出容器に関するものである。
【背景技術】
【０００２】
容器の口部に、注出筒と注出筒内方に隔壁を設けた中栓を装着し、中栓を密封するキャップを容器の口部に被嵌した注出容器は、従来より周知である（例えば、特許文献１、２参照）。
【先行技術文献】
【特許文献】
【０００３】
【特許文献１】特開２００７−０３９０６０号公報
【特許文献２】特開２００５−１６２３１４号公報
【発明の概要】
【発明が解決しようとする課題】
【０００４】
しかしながら、上記特許文献１、２記載の注出容器では、中栓の隔壁を開口するために、キャップを外した後、プルリングを引張って抜栓しなくてはならず、手数がかかり、また、プルリングに指を掛ける際に、誤って手指等が中栓の注出筒内方に接触して汚してしまうという問題があった。
さらに、プルリング自体は、抜栓した後は不要となり、そのまま廃棄されていた。
【０００５】
本発明は、上記問題を解決することを課題とし、キャップを開蓋する前に、中栓の隔壁を開口させるとともに、バージンリングを取り外し、開蓋した後は、中栓等に触れることなく、直ちに内容液を使用することができるようにした注出容器を提供することを目的とする。
【課題を解決するための手段】
【０００６】
本発明は、上記の課題を解決するため、注出容器として、容器と、容器の口筒部に装着される中栓と、容器の口筒部に螺着するキャップとからなる注出容器において、中栓は、外周壁と、注出筒と、注出筒の底部に連設される隔壁部とを具えており、隔壁部は、隔壁周辺部と、隔壁周辺部にヒンジ部により連設され、多角形に形成された開口壁部とからなり、隔壁周辺部の内縁側は、開口壁部の外周形状に形成された係合周壁が垂設され、係合周壁の各角部から隔壁部中心に向かって破断可能な弱化部が形成され、複数の三角形状の変形壁が形成されており、それぞれの変形壁の下面には、中央部近くの所定の位置に係合突起が設けられ、係合周壁の壁下端に係合する係合片が配設されており、キャップは、頂壁と側周壁を具え、頂壁の下面には、外周が開口された開口壁部の表面に係合する係合内筒と、係合内筒内方に、頂壁中央が突起部となっている複数の傾斜壁が設けられていることを特徴とする構成を採用する。
【０００７】
キャップの実施例として、キャップの側周壁は、上端内周が破断可能な複数の弱化片を介して側周壁の下端外周に連設されるバージンリングを具えていることを特徴とする構成を採用し、また、開口壁部の実施例として、開口壁部と係合周壁は、八角形に形成されていることを特徴とする構成を採用する。
【発明の効果】
【０００８】
容器と、容器の口筒部に装着される中栓と、容器の口筒部に螺着するキャップとからなる注出容器において、キャップを廻動し、下降させることによって中栓の隔壁部の開口壁部を破断して開口することができ、同時にバージンリングを取り外すことができる。
ついで、キャップを外すと、直ちに中栓の注出筒から内溶液を注出し、使用することができる。
【図面の簡単な説明】
【０００９】
【図１】本発明の注出容器の断面図である。
【図２】中栓の説明図で、（ａ）は立面断面図、（ｂ）は下面図である。
【図３】キャップの説明図で、（ａ）は立面断面図、（ｂ）は下面図である。
【図４】容器の使用時の説明図で、（ａ）は立面断面図、（ｂ）は下面図である。
【発明を実施するための形態】
【００１０】
次に、本発明の注出容器の実施形態について、図面を参照して説明する。
図１において、Ａは容器、Ｂは中栓、Ｃはキャップである。
【００１１】
図１に示すように、容器Ａの口筒部１の外周は、上部が縮径され、縮径外周部２と段部上面３が形成され、その下方にねじ４が螺設され、さらに、下方にネックリング５が設けられている。
縮径外周部２の外周面には、係合突部６が設けられている。
【００１２】
図１、２に示すように、中栓Ｂは、外周壁１０と、外周壁１０の内周上端に連設されるリング状の上壁１１とを具えており、上壁１１の内縁に沿って注出筒１２が立設され、上壁１１内縁下面には内筒１３が垂設されている。
また、上壁１１の内縁から内方に延びる注出筒１２の底部には、隔壁部１４が連設されている。
【００１３】
外周壁１０の内周には、容器Ａの口筒部１の外周上部の係合突部６と係合する係合凹部１５が設けられている。
【００１４】
中栓Ｂは、外周壁１０の内周と内筒１３の外周とが、容器Ａの口筒部１の縮径外周部２に嵌合し、また、上壁１１下面と口筒部１の上端面、および、外周壁１０の下端面と口筒部１の段部上面３とが当接することによって容器Ａの口筒部１に装着されている。
【００１５】
隔壁部１４は、上壁１１の内縁から延び、内方に八角形の注出口を開口するための開口壁部１６を形成した内側を直線部とし、外側を上壁内線の円弧部とした隔壁周辺部１７と、隔壁周辺部１７の内側の直線部から垂設され、外周形状が八角形で所定の高さまで下方に延びる係合周壁１８が設けられている。
【００１６】
開口壁部１６は、変形可能な薄肉に形成されたヒンジ部１９により、隔壁周辺部１７内方に八角形に区画され、さらに、開口壁部１６内は、中心から八角形のそれぞれの角に放射状に延びる破断可能な薄肉に形成された弱化部２０により、八枚の三角形状の変形壁２１が形成されている。
【００１７】
それぞれの変形壁２１の下面には、中央部の所定の位置に係合突起２２が設けられ、開口時に係合周壁１８のそれぞれの壁下端に係合する係合片２３が配設されている。
【００１８】
図１、３に示すように、キャップＣは、頂壁２５と側周壁２６と、上端内周が破断可能な複数の弱化片２７を介して側周壁２６の下端外周に連設されるバージンリング２８とを具えている。
【００１９】
頂壁２５の下面には、閉蓋時に、外周が中栓Ｂの注出筒１２の内周に挿入される密封筒２９と、外周が中栓Ｂの隔壁部１４のヒンジにより下方に垂下された開口壁部１６に係合するとともに密封筒２９より下方に延びる係合内筒３０とが垂設されている。
係合内筒３０内方には、頂壁２５の中央部に向かい係合内筒３０より下方に傾斜する複数の傾斜壁３１が垂設され、その交点は、頂壁２５中央に位置し、最下点の突起部３１ａとなっている。
【００２０】
側周壁２６の内周下部には、容器Ａの口筒部１のねじ４と螺合するねじ部３２が設けられている。
【００２１】
次に、本発明の注出容器の使用態様と作用効果について説明する。
本発明の注出容器は、まず、容器Ａに内容物を収容して中栓Ｂを被嵌し、次いで、キャップＣを容器Ａに螺合させ、廻動し、螺着させていくと、図１に示すように、キャップＣのバージンリング２８下端が、容器Ａのネックリング５上面に当接し、一端、キャップＣの下降が止められるとともに廻動が止められ、注出容器の使用前の製品とされる。
【００２２】
その際、キャップＣの傾斜壁３１の最下点となる突起部３１ａによって、中栓Ｂの隔壁部１４の上面に当接しない位置でキャップＣの下降が止められている。
【００２３】
注出容器の使用開始にあたって、キャップＣを閉蓋方向に廻動させると、キャップＣは下降し、キャップＣのバージンリング２８と側周壁２６とを連設する弱化片２７を切断するとともに、バージンリング２８の内方に側周壁２６が挿入されながらキャップＣがさらに下降していく。
【００２４】
キャップＣが下降することによって、キャップＣの傾斜壁３１の最下点の突起部３１ａが、中栓Ｂの隔壁部１４の開口壁部１６の上面に当接し、押し込んでいく。
開口壁部１６は、上方から押し込まれると、最下点の突起部３１ａが当接する付近の弱化部２０から破断され、それぞれの変形壁２１が切り離されていく。
【００２５】
それぞれの変形壁２１は、キャップＣの突起部３１ａにより中央側から押し込まれ、ヒンジ部２０を支点に傾斜するように変形し、最後は、図４に示すように、変形壁２１の上面に、キャップＣの係合内筒３０外周が当接し、押し込まれ、中央側が下方に垂れ下がるように変形することによって、隔壁部１４に八角形の開口が形成される。
【００２６】
その際、それぞれの変形壁２１の下面に配設した係合片２３の係合突起２２が隔壁部１４の係合周壁１８のそれぞれの壁下端を乗り越え、係合し、変形壁２１が元の形状に復元しないように固定される。
【００２７】
キャップＣの下降は、容器Ａのネックリング５上面にキャップＣの側周壁２６下端面が当接することで止められる。
その際、キャップＣの密封筒２９外周と中栓Ｂの注出筒１２内周とが係合し、容器内が密封される。
【００２８】
内容物の注出にあたっては、キャップＣを廻動して開蓋し、中栓Ｂの注出筒１２および隔壁部１４の開口より内容液を注出することができる。
【００２９】
キャップＣを開蓋した後も、それぞれの中栓Ｂの隔壁部１４の変形壁２１の係合片２３が、隔壁部１４の係合周壁１８のそれぞれの壁下端と係合して変形壁２１を固定するので、隔壁部１４には、八角形の開口が維持される。
【００３０】
本発明の注出容器は、使用前の状態からキャップを廻動させ、キャップを下降させることで、中栓の隔壁を開口することができ、キャップを外すことで、そのまま中栓の注出筒から内溶液を使用することができるので、使用する前に注出筒等に触れることがなく、衛生的に使用することができる。
また、不要なゴミを出すことはない。
【００３１】
また、必要であれば、開蓋した後のキャップＣの側周壁２６の下端から、または、容器Ａのネックリング５の上面からバージンリング２８を外すことができる。
バージンリング２８の有無、および、バージンリング２８と側周壁２６とを繋ぐ弱化片２７の状態により、使用前の開蓋の有無を確認することができる。
【００３２】
上記実施形態では、中栓Ｂの隔壁部１４の隔壁周辺部１７の内方の開口壁部１６および係合周壁１８を八角形で形成したが、開口壁部１６は、開口時に、配設された弱化部２０を破断し、複数の変形壁２１を形成し、開口することができればよいので、開口壁部１６の形状を八角形ではなく、他の多角形であってもよい。
また、係合周壁１８は、開口壁部１６の破断された状態の変形壁２１と係合し、それぞれの変形壁２１を固定することができればよいので、開口壁部１６の形状に合わせた多角形で形成すればよい。
したがって、中栓の隔壁部の隔壁の内方の開口壁部および係合周壁の多角形の形状は、上記実施形態の形状に限定されない。
【産業上の利用可能性】
【００３３】
本発明は、容器と中栓とキャップとからなる注出容器において、使用前の状態からキャップを廻動させ、キャップを下降させることによって、簡単に、中栓の隔壁を開口させ、開口を維持させることができるので、各種の注出容器として広く利用することができる。
【符号の説明】
【００３４】
Ａ          容器
Ｂ          中栓
Ｃ          キャップ
１          口筒部
２          縮径外周部
３          段部上面
４          ねじ
５          ネックリング
６          係合筒部
１０        外周壁
１１        上壁
１２        注出筒
１３        内筒
１４        隔壁部
１５        係合凹部
１６        開口壁部
１７        隔壁周辺部
１８        係合周壁
１９        ヒンジ部
２０        弱化部
２１        変形壁
２２        係合突起
２３        係合片
２５        頂壁
２６        側周壁
２７        弱化片
２８        バージンリング
２９        密封筒
３０        係合内筒
３１        傾斜壁
３１ａ      突起部
３２        ねじ部
【図１】
0005437201.tif 000002
【図２】
0005437201.tif 000003
【図３】
0005437201.tif 000004
【図４】
0005437201.tif 000005